(57)【要約】  通気設備、方法、及び部材は、樹木の成長率を増加させるべく、樹木の根が成長する土壌の深さよりも下の深い心土から微量元素を分散させる。部材は、深い心土から捕集されたガス状流体を樹木の根が成長する土壌の根区域に導く。【選択図】図３Ａ
2021516990.tif 000002
【特許請求の範囲】
【請求項１】
表面で根が成長する根区域の土壌層よりも下の心土に捕集されたガス状流体の上方流を収集及び生成する為の通気設備であって、
前記心土内に垂直に配向されて配置された細長い通気部材のアレイを備え、前記通気部材は、前記通気部材の長さに沿って延在する１本以上の管部分で形成された管状の捕集器を含み、前記管部分は、前記管部分に形成された縦スロットを有し、前記縦スロットは、前記ガス状流体が前記管部分に流入すると共に前記管部分で上昇する事を可能し、
前記捕集器の上端に嵌合された蓋を備え、前記蓋は、前記蓋の開口下端を通じて前記捕集器の上端を収容する内部空間を有し、前記内部空間は、前記開口下端に流入する如何なる前記ガス状流体の流出をも防ぎ、前記内部空間に流入する前記ガス状流体が前記開口下端の内側と前記捕集器の上端との間の隙間を通じて前記通気部材の外境界の周辺で逆流する様に前記蓋の上部で密閉され、
前記蓋は、前記蓋の外部に定義された縦に延在する外部空間を更に含み、前記外部空間は、前記開口下端から流出する前記ガス状流体を受け入れる為に、前記開口下端で開かれ、前記ガス状流体は、前記外部空間に流入し、前記外部空間は、縦スロットを有し、前記縦スロットは、前記ガス状流体が前記縦スロットを通じて前記縦スロットの長さに沿って前記蓋の周囲の前記土壌層に流出する事を可能にする
事を特徴とする通気設備。
【請求項２】
前記通気部材は、複数の外側管部分が接続されて形成され、前記外側管部分は、前記外側管部分に形成された縦スロットを有する
請求項１に記載の通気設備。
【請求項３】
３本以上の前記外側管部分が提供されると共に前記外側管部分の群を有する様に配置され、前記外側管部分は、相互に一体的に接続された側壁によって形成される
請求項２に記載の通気設備。
【請求項４】
前記側壁によって部品が定義された中心管部分を更に含み、前記中心管部分は、前記中心管部分に形成された縦スロットを有し、前記外側管部分及び前記中心管部分の前記縦スロットは、前記心土の前記ガス状流体が前記外側管部分及び前記中心管部分に流入すると共に前記内部空間に上昇する事を可能にする
請求項３に記載の通気設備。
【請求項５】
根区域の土壌層よりも下の心土内に垂直に延在すると共に前記根区域に入り込む上端を有する細長い通気部材のアレイを配置する工程を備え、前記心土に捕集されたガス状流体の上方移動を達成する事で前記ガス状流体を前記根区域に上昇させる方法であって、
縦スロットを有する１本以上の管部分を有し、前記縦スロットが前記管部分に開口し、前記ガス状流体が前記管部分に流入すると共に前記管部分で上昇する事を可能にする、管状の捕集器を含む前記通気部材を設置する工程を備え、
前記通気部材は、前記捕集器の上端に嵌合された蓋を含み、前記蓋は、前記蓋の開口下端を通じて前記捕集器の上端を収容する内部空間を有し、前記内部空間は、前記開口下端に流入する如何なる前記ガス状流体の流出をも防ぎ、前記内部空間に流入する前記ガス状流体が前記開口下端を通じて前記通気部材の外境界の周辺で逆流する様に前記蓋の上部で密閉され、
前記蓋は、前記蓋の外部に形成された縦に延在する外部空間を更に含み、前記外部空間は、前記開口下端から流出する前記ガス状流体を受け入れる為に、前記開口下端で開かれ、前記ガス状流体が前記蓋に沿って前記外部空間で上昇する事を可能にし、前記外部空間は、縦スロットを有し、前記縦スロットは、前記ガス状流体が前記縦スロットを通じて前記蓋の周囲の前記土壌層に流出する事を可能にする事で前記土壌層に前記ガス状流体の１種以上の微量元素を分散させる
事を特徴とする方法。
【請求項６】
管状の捕集器を含み、前記捕集器の長さに沿って延在する壁によって定義された複数の外側管部分を備える通気部材であって、
前記外側管部分は、前記通気部材の中心の周囲に配列され、前記壁は、前記外側管部分を相互に接続する為に一体的に形成された部分を有し、前記外側管部分は、前記部分から離れて位置された前記壁に縦スロットを有する
事を特徴とする通気部材。
【請求項７】
前記捕集器は、縦に延在する中心管部分を更に含み、前記中心管部分は、前記中心管部分の周囲に配列された前記外側管部分の内側に位置され、前記中心管部分に縦スロットが形成される
請求項６に記載の通気部材。
【請求項８】
一端が前記捕集器の上端を収容し、他端が流入する如何なるガス状流体の流出をも防ぐ為に密閉された細長い中空の蓋を更に含み、隙間が前記外側管部分と前記蓋の一端の内境界との間に定義される
請求項６に記載の通気部材。
【請求項９】
前記中心管部分の周囲に配置された３本の前記外側管部分が存在する
請求項６に記載の通気部材。
【請求項１０】
前記蓋は、前記蓋の外表面に沿って延在する複数の縦空間を有し、前記縦空間は、前記蓋の一端から流出する前記ガス状流体が前記縦空間に流入すると共に前記蓋の外表面に沿って流れる事を可能にする為に前記蓋の外表面の前記蓋の一端で開口し、前記ガス状流体が前記縦空間から流出する事を可能する縦スロットが前記縦空間に形成される
請求項８に記載の通気部材。
【発明の詳細な説明】
【関連出願の相互参照】
【０００１】
本願は、２０１８年１月８日に出願された米国仮特許出願第６２／６１４５３８号の利益を主張する。
【技術分野】
【０００２】
本発明は、栽培、特に、果物や木の実等の為に及び造園設計の為に栽培された樹木の成長率を増加させる事に関する。
【背景技術】
【０００３】
樹木の成長率は、典型的には、徐々に低下する。
【０００４】
この低下は、樹木の活発な成長の為に必要な土壌の１種以上の微量元素の長期に亘る減少によってもたらされると考えられる。その様な消耗された微量元素の識別は判定が困難であるか又は非実用的である。
【０００５】
また、根が成長する表面に近い土壌高さは、通常、締め固められ、根の成長を阻害し、根区域を自然に発達させる微量元素を含むガス状流体を遮断する。
【０００６】
大抵の樹木は、地表下の比較的浅い深さよりも下に（典型的には、２又は３フィート下のみしか）根を成長させない。微量元素は、暫くしたら根が成長している土壌で消耗され、たとえ、それらが根区域よりも深い土壌に未だ存在していても、樹木にとってそれほど役に立たない。根区域の土壌で消耗された良い成長にとって必要な微量元素が存在するという事実は、通常、実現されず、特定の消耗された微量元素を単に補充する事は治療として見なされない。従って、数年後に、樹木は、それ以降は活発的な割合で良く成長しない。
【発明の概要】
【発明が解決しようとする課題】
【０００７】
本発明は、その様な消耗された土壌で樹木成長の活力を回復する為に、微量元素を含むガス状流体を深い土壌深さから根区域に上昇させる事によって、樹木の根に有効な消耗された微量元素を回復させる心土通気設備及び方法を提供する事を目的とする。
【課題を解決するための手段】
【０００８】
前述の目的及び当業者によって認識される他の目的は、樹木の根が成長する土壌深さよりも十分に下の深さの心土に通気設備を設置する事によって達成される。通気設備は、その様な微量元素を未だ含む、根区域の深さよりも十分に下のこれらの深い心土高さからガスや蒸気等の流体を捕集する様に構成される。捕集された流体は、樹木の根が存在する土壌で消耗された元素を補充すべく、そこに分散される様に、その土壌に送られる。従って、微量元素は、樹木によって吸収されて樹木の活力及び成長速度を回復すべく、再び利用可能となる。
【０００９】
通気設備は、好ましくは、夫々が相当な劣化を伴わずに長年に亘って土壌でそのままで有り続ける事が出来る丈夫な材料で構成され、心土に設置されて垂直に配向された細長い通気部材のアレイで構成される。成型されたポリプロピレンプラスチックは、この目的を満足する。
【００１０】
根区域内に延在する上端を有する通気部材の長さは、根区域よりも下の深い土壌内に十分に下方へ延在されるのに足りる。
【００１１】
通気部材は、好ましくは、中心にスロットが形成された管部分の周囲に配置され、縦にスロットが形成された複数の外側管部分を含む。管部分の全ては、好ましくは、管部分の全てを相互に一体的に接続して形成する押出法等によって、相互に一体的に連結される。他の点では、深い心土に閉じ込められたガスや蒸気は、外側管部分及び中心管部分のスロットを通り、各管部分の内部に収容され、その後、スロットが形成された管部分の頂端から上昇して抜け出る事が出来る。
【００１２】
蓋は、通気部材の管部分の上方へ送られたガス及び／又は水蒸気を取り込む為に、各通気部材の頂端を覆って配置され、ここで、捕集されたガス及び／又は水蒸気の僅かな加圧を起こす。蒸気及び／又はガス流体は、その後、各蓋の下端の周囲の蓋から流れ出す。
【００１３】
外側縦スロットのアレイは、蓋の外側を縦に上へ延在する一連の外側チャンバに形成される。ガス／蒸気は、外側チャンバに収容され、そこを流れ、スロットに沿って出て行き、結果的に、根区域に分散される。従って、微量元素は、根区域に存在する様になり、結果的に、樹木の根にとって利用可能になる。ガス／蒸気のこの流れは、結果的に、土壌の根区域で消耗された微量元素の存在を回復し、その土壌で成長する樹木の活力及び正常な成長率が回復される。
【図面の簡単な説明】
【００１４】
【図１】土壌で成長する樹木の根が有る土壌断面の図であり、根区域よりも十分に下の深さの土壌に垂直配向に設置された通気部材のアレイを有し、各通気部材の上端は、その上に組み付けられた蓋を有し、根区域に延在する。
【図２】夫々が樹木の根の周囲でその上端に配置された各蓋を有する通気部材のアレイを描写する樹木の群の平面図である。
【図３Ａ】先端を切断されて示された通気部材を有する、本発明による通気部材の２つの異なる角度からの透視図である。
【図３Ｂ】先端を切断されて示された通気部材を有する、本発明による通気部材の２つの異なる角度からの透視図である。
【図４】通気部材の拡大端図である。
【図５】その長さに沿って中間点で中断して示された図４に示された通気部材の側面図である。
【図６】各通気部材の上端に設置された蓋の側面図である。
【図７】図６に示された蓋の下からの端面図である。
【図８】図７に示された蓋の下端図の拡大部分である。
【図９】図６乃至８に示された蓋の縦断面図である。
【発明を実施するための形態】
【００１５】
以下の詳細な説明では、ある特定の用語は、明確性及び米国特許法第１１２条の規定に従って説明された特定の実施の形態の為に使用されるが、本発明は、添付された請求の範囲内で様々な形態及び変更を採る事が出来るので、同一のものに限定する様には意図されず、その様に解釈されるべきでない事が理解される。
【００１６】
図１を参照すると、本発明は、垂直に指向された細長い通気部材１０を含み、通気部材１０は、樹木１４の群の根区域１２Ａよりも下の心土に空けられた孔に設置される。
【００１７】
通気部材１０は、根区域１２Ａよりも下の未使用の心土領域１２Ｂ内へ十分に延在されるのに足りるだけの長さである。然し乍ら、各通気部材１０の上端１６は、根区域１２Ａに延在する。
【００１８】
図１及び２に於いて理解される様に、垂直に指向された通気部材１０は、樹木１４の根の境界の周囲に配置される。
【００１９】
図３Ａ及び３Ｂを参照すると、各通気部材１０は、細長い管状の捕集器１８を含み、捕集器１８は、根区域１２Ａよりも下の心土１２Ｂ内へ深く延在されるのに足りるだけの長さであり、蓋２０は、捕集器部分１８の上端に設置される。部分１８は、図３Ａ及び３Ｂに於いて先端を切断されて示される。
【００２０】
図４及び５は、管状の捕集器１８の構成を示し、捕集器１８は、３本の外側管部分２０Ａ、２０Ｂ及び２０ｃを含み、外側管部分２０Ａ、２０Ｂ及び２０ｃは、相互に一体的に接続され、外側管部分２０Ａ、２０Ｂ及び２０Ｃと一体的に形成された小径中心管部分２２の周囲に対称的に配置される。
【００２１】
各外側管２０Ａ、２０Ｂ及び２０Ｃは、周囲の心土１２Ｂに露出される様に、その最外側で全長に亘って延在するスロット２４Ａ、２４Ｂ及び２４Ｃを有する。小さい中心管２２は、周囲の心土１２Ｂに露出される様に、２本の外側管２０Ａ及び２０Ｂの間に配置された全長に亘るスロット２６を有する。
【００２２】
スロット２４Ａ、２４Ｂ、２４Ｃ及び２６の存在は、ガス及び／又は蒸気を捕集する為に、周囲の心土１２Ｂに捕集されたガス状流体及び／又は蒸気が外側管部分２０Ａ、２０Ｂ及び２０Ｃ並びに中心管部分２２の内部に入り、これらの流体のやや加圧された状態により、それを続いて上昇させる事を可能にする。
【００２３】
微量元素は、消費され、流入され、又は他の場合には、典型的にやや加圧され、結果的に、蓋２０の内部まで上昇するガス状流体に含まれる。
【００２４】
図６乃至８は、蓋２０の詳細図を示す。
【００２５】
蓋２０は、ガス／蒸気が内部に捕集される内部空間２８を有し、内部空間２８は、蓋２０の外部から完全に閉じられ、管部分２０Ａ、２０Ｂ、２０Ｃ及び２２の端から流れる流体を捕集し、相当圧がそこに蓄積する様に、蓋２０の上端に融合された蓋カバー３０によって密閉される。
【００２６】
これは、蓋２０の下端３０と関連付けられた管状の捕集器１８の外部との間に配置された蓋内部空間から流体を流出させ、その後、蓋２０の外側に延在された４つの外側空間３２の開口下端に上昇させる。そこから、空間３２を通じてガス状流体が上昇し、スロット３４から流出し、蓋２０の周囲の土壌１２Ａに流入し、それによって根区域土壌１２Ａ内に分散される。
【００２７】
従って、微量元素は、それによって樹木１４の根によって吸収される事が出来る様に、根区域１２Ａの土壌に回復される。これは、樹木１４の活力及び成長率を著しく高める事が分かっている。
【図１】
2021516990.tif 000003
【図２】
2021516990.tif 000004
【図３Ａ】
2021516990.tif 000005
【図３Ｂ】
2021516990.tif 000006
【図４】
2021516990.tif 000007
【図５】
2021516990.tif 000008
【図６】
2021516990.tif 000009
【図７】
2021516990.tif 000010
【図８】
2021516990.tif 000011
【図９】
2021516990.tif 000012
【国際調査報告】
2021516990.tif 000013
2021516990.tif 000014